(57)【要約】【課題】本発明は、構造が簡単で、装着が容易であり、走行時や旋回時に茶畝や防霜ファン、電柱などに接触しない刈落しダクトを提供することを課題としている。【解決手段】本発明の第１手段は、茶畝を跨いで走行する走行装置を備えた門型枠の機体と、茶葉の摘採を行なうために前記門型枠下方に配置した摘採装置と、摘採した茶葉を上方へ移送する移送装置とを備えた走行型茶葉摘採機において、前側板の上部に備えた受入口を前記移送装置の終端部へ着脱自在に装着し、外側板の下部に排出口を備え、内側板は前記外側板へ傾斜した形状の刈落しダクトを設けることを特徴とする走行型茶葉摘採機。【選択図】図１
2014014311.tif 000002
【特許請求の範囲】
【請求項１】
茶畝を跨いで走行する走行装置を備えた門型枠の機体と、茶葉の摘採を行なうために前記門型枠下方に配置した摘採装置と、摘採した茶葉を上方へ移送する移送装置とを備えた走行型茶葉摘採機において、前側板の上部に備えた受入口を前記移送装置の終端部へ着脱自在に装着し、外側板の下部に排出口を備え、内側板は前記外側板へ傾斜した形状の刈落しダクトを設けることを特徴とする走行型茶葉摘採機。
【請求項２】
前記刈落しダクトを茶畝の上方に配置し、前記排出口が茶畝上面より上にあることを特徴とする請求項１記載の走行型茶葉摘採機。
【請求項３】
前記刈落しダクトを前記走行装置の左右の走行巾に収めることを特徴とする請求項１または２記載の走行型茶葉摘採機。
【請求項４】
前記刈落しダクトの受入口と排出口の開口面積が略同一または排出口を受入口より広くすることを特徴とする請求項１、２または３記載の走行型茶葉摘採機。
【請求項５】
前記排出口から所定距離を離して、茶葉飛散防止具を設けることを特徴とする請求項１、２、３または４記載の走行型茶葉摘採機。
【請求項６】
茶葉収容コンテナを備えた前記走行型茶葉摘採機において、前記茶葉収容コンテナの一部を取外し、前記刈落しダクトを装着することを特徴とする請求項１、２、３、４または５記載の走行型茶葉摘採機。
【発明の詳細な説明】
【技術分野】
【０００１】
本発明は、茶畝を跨いで走行しながら茶葉の摘採作業を行ない、剪枝作業にも兼用される走行型茶葉摘採機に関するものであって、特に剪枝作業において刈り取った茶枝葉を茶畝と茶畝の間（以下畝間という）に案内する刈落しダクトに関するものである。
【背景技術】
【０００２】
一般的に、茶畝の表面を整えたり、茶樹の若返り更新をしたりするために、剪枝を行なう。剪枝した茶枝葉は畝間に落とされ、畝間に落とされた茶枝葉は敷き藁の代わりになったり、肥料になったりしている。茶枝葉を畝間へ落とす方法としては、剪枝した茶枝葉を送風により畝間へ向けて吹き飛ばすものや、地面まで届きそうなフレキシブルホースやダクトによって地面へ誘導するものなどがある。
【０００３】
ダクトを用いるものとしては、特許文献１のように茶葉収容コンテナを外さないでダクトを取付けるものや、特許文献２のように茶葉収容コンテナを外した状態でダクトを取付けるものがある。
【先行技術文献】
【特許文献】
【０００４】
【特許文献１】特開２００２−１３６２１４号公報
【特許文献２】特開２００４−２２２６６９号公報
【発明の概要】
【発明が解決しようとする課題】
【０００５】
剪枝した茶枝葉を畝間へ落とすのは、茶畝の上に茶枝葉がのると、茶枝葉が茶畝の上で腐って病気の原因になったり、茶畝の上で枯れて茶葉を摘採した時に異物混入となったりすることを防ぐためである。つまり、茶枝葉を畝間へ落とさないと、茶葉の品質を下げるおそれがある。
【０００６】
特許文献１や特許文献２は、構造が複雑で高価であり、ダクトを装着のするに手間がかかった。特に、特許文献１のような大きなダクトは、走行時や旋回時に茶畝や防霜ファン、電柱などに接触し、損傷する事故が多かった。
【０００７】
本発明は、構造が簡単で、装着が容易であり、走行時や旋回時に茶畝や防霜ファン、電柱などに接触しない刈落しダクトを提供することを課題としている。
【課題を解決するための手段】
【０００８】
本発明の第１手段は、茶畝を跨いで走行する走行装置を備えた門型枠の機体と、茶葉の摘採を行なうために前記門型枠下方に配置した摘採装置と、摘採した茶葉を上方へ移送する移送装置とを備えた走行型茶葉摘採機において、前側板の上部に備えた受入口を前記移送装置の終端部へ着脱自在に装着し、外側板の下部に排出口を備え、内側板は前記外側板へ傾斜した形状の刈落しダクトを設けることを特徴とする走行型茶葉摘採機。第２手段は、上記第１手段において、前記刈落しダクトを茶畝の上方に配置し、前記排出口が茶畝上面より上にあるものである。第３手段は、上記第１または２手段において、前記刈落しダクトを前記走行装置の左右の走行巾に収める。第４手段は、上記第１、２または３手段において、前記刈落しダクトの受入口と排出口の開口面積が略同一または排出口を受入口より広くする。第５手段は、上記第１、２、３または４手段において、前記排出口から所定距離を離して、茶葉飛散防止具を設ける。第６手段は、上記第１、２、３、４または５手段において、茶葉収容コンテナを備えた前記走行型茶葉摘採機において、前記茶葉収容コンテナの一部を取外し、前記刈落しダクトを装着する。
【発明の効果】
【０００９】
本発明は、刈落しダクトが簡単な構造であり、製品を安価に提供することができる。また、脱着自在であり、簡単に装着でき、茶葉収容コンテナの一部を取外すと、より一層簡単に装着することができる。また、刈落しダクトの形状により、刈落しダクトの内壁に茶枝葉が詰まることがない。更に、走行型茶葉摘採機として、出っ張りが少なく、茶畝と接触する部分がないために、走行時や旋回時に茶畝を傷つけることがない。また、防霜ファンや電柱などの障害物に誤って接触する事故を防ぐことができる。そして、剪枝した茶枝葉を確実に畝間へ落とすことができる。
【図面の簡単な説明】
【００１０】
【図１】刈落しダクトを装着した走行型茶葉摘採機の前面斜視図。
【図２】刈落しダクトを装着した走行型茶葉摘採機の後面斜視図。
【図３】図２から刈落しダクトを取外した図。
【図４】刈落しダクトの後面斜視図。
【図５】刈落しダクトの前面斜視図。
【図６】刈落しダクトの取り付け部詳細図。
【図７】刈落しダクトを装着しない走行型茶葉摘採機の後面斜視図。
【図８】刈落しダクトから茶枝葉の落下する様子を示す説明図（後ろから見た図）。
【図９】図８に茶葉飛散防止具を装着した場合の説明図。
【発明を実施するための形態】
【００１１】
図面に基づいて説明をする。走行型茶葉摘採機１は、茶畝２０を挟んで２本のクローラ型の走行装置２を門型枠４でつなぎ、門型枠４の下に摘採装置５を設けてある。摘採装置５の後方には、茶葉収容コンテナ６を設けてある。摘採装置５と茶葉収容コンテナ６は輸送ダクト７、８でつながっており、輸送ダクト７、８の終端は茶葉収容コンテナ６の前面上部に位置する。門型枠４の上には、ファン９、１０が設置してあり、フレキシブルな送風ダクト１１、１２で摘採装置５へ接続され、茶葉を上方へ移送している。上記の輸送ダクト７、８、ファン９、１０、送風ダクト１１、１２により茶葉を移送する移送装置を構成している。
【００１２】
運転席１３に作業者１４が座り、操縦部１５にて操縦をすることにより、走行型茶葉摘採機１を走行させながら、茶葉の摘採を行なう。摘採した茶葉は、後部の茶葉収容コンテナ６の中に収容される。茶葉収容コンテナ６が満杯になったとき、又は茶畝１の一番端へ走行型茶葉摘採機が到着したとき、茶葉収容コンテナ６内の茶葉を茶葉運搬用のトラックなどへ移しかえる。
【００１３】
本実施例の茶葉収容コンテナ６は、全部または一部を金網で構成しており、天井壁２１と側壁２２と後部壁２３と下扉２４とにより構成されており、アーム２５により茶葉収容コンテナ６は斜め後方に上昇し、開閉用シリンダ２６により下扉２４が開閉する。茶葉収容コンテナ６の構成はこの限りではない。
【００１４】
刈落しダクト１６装着時の走行型茶葉摘採機１について説明する。刈落しダクト１６を装着するときには、茶葉収容コンテナ６の一部、本実施例では下扉２４と後部壁２３を取外すと装着が容易となる。
【００１５】
刈落しダクト１６は前側板３３ｃの上部に開口を設けて受入口３１とし、外側板３３ａの下部に開口を設けて排出口３２とし、内側板３３ｂは前記外側板３３ａへ傾斜した形状とする。そして、刈落しダクト１６の受入口３１と排出口３２の開口面積が略同一または排出口３２を受入口３１より広くする。これにより、茶枝葉が刈落しダクト１６の中で詰まることがなくなり、刈落しダクト１６内で茶枝葉の流速が速くなることもなくなる。刈落しダクト１６の側板３３には多数の開孔３５を設けてある。
【００１６】
刈落しダクト１６を走行型茶葉摘採機１へ装着するため、刈落しダクト１６の受入口３１付近に設けたフック３４を茶葉収容コンテナ６の前面の側壁２２の開口２２ａのフック取付部２２ｂに引っ掛ける。この開口２２ａは摘採時には輸送ダクト７、８の終端部から茶葉収容コンテナ６へ茶葉を受け入れるためのものであり、これにより、刈落しダクト１６が輸送ダクト７、８と接続される。念のため、茶葉収容コンテナ６の前面の側壁２２と刈落しダクト１６をネジ止めするとよい。刈落としダクト１６は左右の輸送ダクト７、８それぞれに左右対称に装着され、走行型茶葉摘採機１へ装着したときの刈落としダクト１６の排出口３２は茶畝２０より上方に位置する。また、刈落しダクト１６の左右の巾は走行巾より狭くする、つまり、刈落しダクト１６は茶畝２０の巾より少し狭くなる。
【００１７】
刈落しダクト１６の排出口３２から所定距離を離して、茶葉飛散防止具１７を設ける。本実施例の場合、茶葉飛散防止具１７は茶葉収容コンテナ６の側壁２２へ取付ける。この茶葉飛散防止具１７は、排出口３２から出てきた茶枝葉１９が隣の茶畝２０へ落下しないように設け、シートや布などフレキシブルなものが茶畝２０などに接触したときに、茶畝２０などを傷付けなくてよい。この茶葉飛散防止具１７がなくてもほとんど隣の茶畝２０へ落下しないが、念のために設けるとよい。
【００１８】
茶枝葉の剪枝時を説明する。刈落しダクト１６を装着した走行型茶葉摘採機１にて茶畝２０を跨ぎ、走行する。この時、摘採装置５を適宜な高さにして、剪枝を行なう。剪枝した茶枝葉１９は、送風ファン９、１０からの送風によって輸送ダクト７、８内を上方へ移送される。輸送ダクト７、８にて移送された後、刈落しダクト１６の受入口３１へ入り、排出口３２へ向かって落下する。このとき、刈落しダクト１６の内側板３３ｂが外側板３３ａへ向かって傾斜しているため、茶枝葉１９は畝間へ向かって落下する。
【００１９】
刈落しダクト１６の側板３３に設けられた開孔３５にて刈落しダクト１６内の空気を抜く。側板３３に開孔３５がない場合、ファン９、１０の風が衰えることないため、輸送された茶枝葉１９は刈落しダクト１６の内壁へ勢いよく激突し、刈落しダクト１６の内壁に貼り付いてしまう。また、その送風は排出口３２から抜け、茶枝葉１９も勢いよく排出口３２から落下し、風と茶枝葉が地面に当たり、土埃を発生させる原因にもなりかねない。そのため、側板３３には開孔３５が必要となる。
【符号の説明】
【００２０】
１    走行型茶葉摘採機
２    走行装置
４    門型枠
５    摘採装置
６    茶葉収容コンテナ
７    輸送ダクト
８    輸送ダクト
９    ファン
１０    ファン
１１    送風ダクト
１２    送風ダクト
１３    運転席
１４    作業者
１５    操縦部
１６    刈落しダクト
１７    茶葉飛散防止具
１９    茶枝葉
２０    茶畝
２１    天井壁
２２    側壁
２２ａ    開口
２２ｂ    フック取付部
２３    後部壁
２４    下扉
２５    アーム
２６    開閉用シリンダ
３１    受入口
３２    排出口
３３    側板
３３ａ    外側板
３３ｂ    内側板
３３ｃ    前側板
３４    フック
３５    開孔
【図１】
2014014311.tif 000003
【図２】
2014014311.tif 000004
【図３】
2014014311.tif 000005
【図４】
2014014311.tif 000006
【図５】
2014014311.tif 000007
【図６】
2014014311.tif 000008
【図７】
2014014311.tif 000009
【図８】
2014014311.tif 000010
【図９】
2014014311.tif 000011